(57)【要約】【課題】  文書画像の劣化がない状態で改ざん検証を行うことの可能な印刷物発行装置，印刷物検証装置，および印刷物処理システムを提供する。【解決手段】  印刷物発行装置１００は，特徴データを復元可能あって透過性のある特徴画像を作成する特徴画像形成部１０３と，印刷物の少なくとも印刷領域に特徴画像を重ねた特徴画像付き印刷物を印刷する印刷部１０４を備え，印刷物検証装置２００は，特徴データ復元部２０３が復元した特徴データと，特徴データ抽出部２０２が抽出した特徴データとを比較して，印刷物への改ざんを検出する改ざん検証部２０６を備える。元の印刷文書が劣化しないようにするために特徴画像を元の印刷文書に重ねて印刷する。これによって文書画像の劣化がない状態で，改ざん検証を行うことができる。【選択図】  図１
2006014189.tif 000002
【特許請求の範囲】
【請求項１】
印刷物から抽出した特徴データを含む特徴画像を前記印刷物に埋め込んだ特徴画像付き印刷物を印刷する印刷物発行装置であって，
印刷物を読み取ってコンテンツ画像を生成する印刷物読み取り部と，
前記コンテンツ画像から特徴データを抽出する特徴データ抽出部と，
前記特徴データを復元可能あって透過性のある特徴画像を形成する特徴画像形成部と，
前記印刷物の少なくとも印刷領域に前記特徴画像を重ねた特徴画像付き印刷物を印刷する印刷部と，
を備えたことを特徴とする，印刷物発行装置。
【請求項２】
前記特徴データ抽出部による特徴抽出の前に，前記印刷物に対して基準位置を示す基準マークを印刷する基準マーク印刷部をさらに備えたことを特徴とする，請求項１に記載の印刷物発行装置。
【請求項３】
前記基準位置は，
前記印刷物に存在する画像的特徴，前記印刷物内の罫線，前記印刷物内の特定の印，または前記特徴画像に存在する画像的特徴のいずれかにもとづいて設定されることを特徴とする，請求項２に記載の印刷物発行装置。
【請求項４】
前記基準位置の設定前に傾きの正規化が行われることを特徴とする，請求項２または３に記載の印刷物発行装置。
【請求項５】
前記特徴画像に存在する画像的特徴にもとづいて，前記傾きの正規化が行われることを特徴とする，請求項４に記載の印刷物発行装置。
【請求項６】
電子文書データから前記印刷物を印刷する電子文書印刷部をさらに備えたことを特徴とする，請求項１に記載の印刷物発行装置。
【請求項７】
前記電子文書データは，基準位置を示す基準マークを含むことを特徴とする，請求項６に記載の印刷物発行装置。
【請求項８】
電子文書データに基準位置を示す基準マークを追加する基準マーク追加部と，
前記基準マークが追加された電子文書データから前記印刷物を印刷する電子文書印刷部と，
をさらに備えたことを特徴とする，請求項１に記載の印刷物発行装置。
【請求項９】
前記基準位置は，
前記電子文書データに存在する画像的特徴，前記電子文書データ内の罫線，または前記電子文書データ内の特定の印のいずれかにもとづいて設定されることを特徴とする，請求項７または８に記載の印刷物発行装置。
【請求項１０】
前記特徴画像に存在する画像的特徴を，前記電子文書データの基準位置を示す基準マークとすることを特徴とする，請求項６に記載の印刷物発行装置。
【請求項１１】
前記基準位置の設定前に傾きの正規化が行われることを特徴とする，請求項７〜１０のいずれかに記載の印刷物発行装置。
【請求項１２】
前記特徴画像に存在する画像的特徴にもとづいて，前記傾きの正規化が行われることを特徴とする，請求項１１に記載の印刷物発行装置。
【請求項１３】
前記印刷物には，前記基準位置を示す基準マークが，前記印刷物読み取り部による読み取り前から予め印刷されていることを特徴とする，請求項１に記載の印刷物発行装置。
【請求項１４】
印刷物の少なくとも印刷領域に特徴画像を重ねた特徴画像付き印刷物に対して印刷後の改ざんを検出する印刷物検証装置であって，
特徴画像付き印刷物を読み取って特徴画像付きコンテンツ画像を生成する印刷物読み取り部と，
前記特徴画像付きコンテンツ画像から特徴画像を抽出する特徴画像抽出部と，
前記特徴画像から特徴データを復元する特徴データ復元部と，
前記特徴画像付きコンテンツ画像からコンテンツ画像を抽出するコンテンツ画像抽出部と，
前記コンテンツ画像から特徴データを抽出する特徴データ抽出部と，
前記特徴データ復元部が復元した特徴データと，前記特徴データ抽出部が抽出した特徴データとを比較して，前記印刷物への改ざんを検出する改ざん検証部と，
を含み，
前記特徴画像付き印刷物には基準位置を示す基準マークが含まれていることを特徴とする，印刷物検証装置。
【請求項１５】
印刷物から特徴データを抽出する印刷物発行装置と，ネットワークを介して前記印刷物発行装置からの前記特徴データを格納する特徴データ格納装置と，ネットワークを介して前記特徴データ格納装置からの前記特徴データを受信し，前記印刷物に対して印刷後の改ざんを検出する印刷物検証装置とを含む印刷物処理システムであって，
前記印刷物検証装置は，
前記印刷物を読み取ってコンテンツ画像を生成する印刷物読み取り部と，
前記コンテンツ画像から特徴データを抽出する特徴データ抽出部と，
前記特徴データ抽出部が抽出した特徴データと，前記特徴データ格納装置から受信した特徴データとを比較して，前記印刷物への改ざんを検出する改ざん検証部と，
を含み，
前記印刷物発行装置は，
前記特徴データ抽出部による特徴抽出の前に，前記印刷物に対して基準位置を示す基準マークを印刷する基準マーク印刷部をさらに備えたことを特徴とする，印刷物処理システム。
【請求項１６】
前記基準位置は，
前記印刷物に存在する画像的特徴，前記印刷物内の罫線，前記印刷物内の特定の印，または前記特徴画像に存在する画像的特徴のいずれかにもとづいて設定されることを特徴とする，請求項１５に記載の印刷物処理システム。
【請求項１７】
前記基準位置の設定前に傾きの正規化が行われることを特徴とする，請求項１５または１６に記載の印刷物処理システム。
【請求項１８】
前記特徴画像に存在する画像的特徴にもとづいて，前記傾きの正規化が行われることを特徴とする，請求項１７に記載の印刷物処理システム。
【請求項１９】
印刷物から特徴データを抽出する印刷物発行装置と，ネットワークを介して前記印刷物発行装置からの前記特徴データを格納する特徴データ格納装置と，ネットワークを介して前記特徴データ格納装置からの前記特徴データを受信し，前記印刷物に対して印刷後の改ざんを検出する印刷物検証装置とを含む印刷物処理システムであって，
前記印刷物検証装置は，
前記印刷物を読み取ってコンテンツ画像を生成する印刷物読み取り部と，
前記コンテンツ画像から特徴データを抽出する特徴データ抽出部と，
前記特徴データ抽出部が抽出した特徴データと，前記特徴データ格納装置から受信した特徴データとを比較して，前記印刷物への改ざんを検出する改ざん検証部と，
を含み，
前記印刷物発行装置は，
基準位置を示す基準マークを含む電子文書データから前記印刷物を印刷する電子文書印刷部をさらに備えたことを特徴とする，印刷物処理システム。
【請求項２０】
印刷物から特徴データを抽出する印刷物発行装置と，ネットワークを介して前記印刷物発行装置からの前記特徴データを格納する特徴データ格納装置と，ネットワークを介して前記特徴データ格納装置からの前記特徴データを受信し，前記印刷物に対して印刷後の改ざんを検出する印刷物検証装置とを含む印刷物処理システムであって，
前記印刷物検証装置は，
前記印刷物を読み取ってコンテンツ画像を生成する印刷物読み取り部と，
前記コンテンツ画像から特徴データを抽出する特徴データ抽出部と，
前記特徴データ抽出部が抽出した特徴データと，前記特徴データ格納装置から受信した特徴データとを比較して，前記印刷物への改ざんを検出する改ざん検証部と，
を含み，
前記印刷物発行装置は，
電子文書データに基準位置を示す基準マークを追加する基準マーク追加部と，
前記基準マークが追加された電子文書データから前記印刷物を印刷する電子文書印刷部と，
をさらに備えたことを特徴とする，印刷物処理システム。
【請求項２１】
前記基準位置は，
前記電子文書データに存在する画像的特徴，前記電子文書データ内の罫線，前記電子文書データ内の特定の印，または前記特徴画像に存在する画像的特徴のいずれかにもとづいて設定されることを特徴とする，請求項１９または２０に記載の印刷物処理システム。
【請求項２２】
前記基準位置の設定前に傾きの正規化が行われることを特徴とする，請求項１９〜２１のいずれかに記載の印刷物処理システム。
【請求項２３】
前記特徴画像に存在する画像的特徴にもとづいて，前記傾きの正規化が行われることを特徴とする，請求項２２に記載の印刷物処理システム。
【請求項２４】
印刷物から特徴データを抽出する印刷物発行装置と，ネットワークを介して前記印刷物発行装置からの前記特徴データを格納する特徴データ格納装置と，ネットワークを介して前記特徴データ格納装置からの前記特徴データを受信し，前記印刷物に対して印刷後の改ざんを検出する印刷物検証装置とを含む印刷物処理システムであって，
前記印刷物検証装置は，
前記印刷物を読み取ってコンテンツ画像を生成する印刷物読み取り部と，
前記コンテンツ画像から特徴データを抽出する特徴データ抽出部と，
前記特徴データ抽出部が抽出した特徴データと，前記特徴データ格納装置から受信した特徴データとを比較して，前記印刷物への改ざんを検出する改ざん検証部と，
を含み，
前記印刷物には，基準位置を示す基準マークが，前記特徴データを抽出する前から予め印刷されていることを特徴とする，印刷物処理システム。
【請求項２５】
前記印刷物には，前記特徴データ格納装置に格納されている特徴データを参照するための参照情報が含まれていることを特徴とする，請求項１５〜２４のいずれかに記載の印刷物処理システム。
【請求項２６】
前記印刷物発行装置に対して前記印刷物を供給し，前記印刷物発行装置に所定の処理を要求する発行側クライアント端末と，
前記発行側クライアント端末に対して課金を行う発行側サービス供給装置と，
をさらに含むことを特徴とする，請求項１５〜２５のいずれかに記載の印刷物処理システム。
【請求項２７】
前記印刷物には，前記発行側クライアント端末と前記発行側サービス供給装置との間のトランザクション管理を行うための情報が含まれていることを特徴とする，請求項２６に記載の印刷物処理システム。
【請求項２８】
前記印刷物検証装置に対して前記印刷物を供給し，前記印刷物検証装置に所定の処理を要求する検証側クライアント端末と，
前記検証側クライアント端末に対して課金を行う検証側サービス供給装置と，
をさらに含むことを特徴とする，請求項１５〜２７のいずれかに記載の印刷物処理システム。
【請求項２９】
前記印刷物には，前記検証側クライアント端末と前記検証側サービス供給装置との間のトランザクション管理を行うための情報が含まれていることを特徴とする，請求項２８に記載の印刷物処理システム。
【発明の詳細な説明】
【技術分野】
【０００１】
本発明は，印刷物を処理する印刷物発行装置，印刷物検証装置，および印刷物処理システムにかかり，特に，元文書の関連した情報埋め込みを行う印刷物発行装置，印刷文書の改ざん検出する印刷物検証装置，およびこれらをシステム構成要素として含む印刷物処理システムに関する。
【背景技術】
【０００２】
今日の社会では，各種申請書や証明書などの「文書」を通じた取引が広く行われている。これらの文書は，デジタル化された電子文書の形態で扱われる場合もあるが，一方で印刷文書には電子文書にない利点や取り扱い易さがある。電子文書の閲覧がパソコン等の使用を強要するのと比較し，コストの安さや文書の一覧性の良さや持ち運び・配布の容易さ等が広く受け入れられているためと思われる。この印刷文書のセキュリティ上の脅威として改ざんがある。この問題に対処する印刷文書の改ざん検証技術として，特開２００１−３０９１５７号公報「書類認証方法，システム，書類作成装置，書類認証装置及び記憶媒体」ＮＴＴデータ（特許文献１）に記載の技術があった。
【０００３】
特許文献１では，以下のようにして改ざん検証を行う。
まず，文書発行側では，印刷文書をスキャンして得られた文書画像から特徴データを抽出する。この特徴データを特徴画像（例えばバーコード）に変換して，それを図２７に示したように，文書画像の余白部分に貼り付けた文書画像を作成して印刷する（以下，この印刷物を「特徴画像付き印刷文書」と称する）。そして，改ざん検証側では，特徴画像付き印刷文書をスキャンして得られた文書画像から特徴データを抽出して，貼り付けてある特徴画像を切り出して復元したオリジナルな特徴データと比較する。
【０００４】
【特許文献１】特開２００１−３０９１５７号公報
【特許文献２】特開２００３−２０９６７６号公報
【特許文献３】特開２００３−２６４６８５号公報
【特許文献４】特開２００１−１５７０２２号公報
【特許文献５】特開２００２−６４７００号公報
【発明の開示】
【発明が解決しようとする課題】
【０００５】
ところで，特許文献１の実施例にあるように，特徴画像を文書画像に貼り付けて印刷するような方法をとる場合には，以下のような問題がある。
（１）文書発行側で，印刷文書を読み取るスキャナの解像度が十分でないには文書画像が劣化する。その劣化した文書画像に特徴画像を貼り付けて出力するため，検証の際にはこの劣化した文書画像から抽出した特徴データで比較することになり，これではオリジナルな特徴データと差異が生じ，改ざんされてない部分を改ざんと誤判定するなど改ざん検出精度が悪くなる。
（２）文書発行側において，元の文書画像を印刷する場合にプリンタの状態によっては文書画像が劣化する。この場合も（１）の問題が発生する。
【０００６】
本発明は，上記背景技術が有する問題点に鑑みてなされたものであり，本発明の目的は，文書画像の劣化がない状態で，改ざん検証を行うことの可能な，新規かつ改良された印刷物発行装置，印刷物検証装置，および印刷物処理システムを提供することである。
【課題を解決するための手段】
【０００７】
上記課題を解決するため，本発明の第１の観点によれば，印刷物から抽出した特徴データを含む特徴画像を印刷物に埋め込んだ特徴画像付き印刷物を印刷する印刷物発行装置（１００）が提供される。本発明の印刷物発行装置は，印刷物を読み取ってコンテンツ画像を生成する印刷物読み取り部（１０１）と，コンテンツ画像から特徴データを抽出する特徴データ抽出部（１０２）と，特徴データを復元可能であって透過性のある特徴画像を形成する特徴画像形成部（１０３）と，印刷物の少なくとも印刷領域（余白領域でない部分）に特徴画像を重ねた特徴画像付き印刷物を印刷する印刷部（１０４）と，を備えたことを特徴とする（請求項１）。
【０００８】
かかる構成によれば，元の印刷文書が劣化しないようにするために特徴画像を元の印刷文書に重ねて印刷する。ここで特徴画像は，印刷領域（余白領域でない部分）に重ねても印刷物上の情報が失われないように，透過性のある画像で形成する。このような透過性のある画像は，例えば電子透かし技術により形成することができる。このようにして，文書画像の劣化がない状態で，改ざん検証を行うことができる。そして，余白がほとんど無いような印刷物であっても，印刷物全面に情報を埋め込むことができるので，印刷物のフォーマットに関係なく特徴情報の埋め込みが可能である。また逆に，特徴情報を埋め込むためのスペースを必要としないため，印刷物本来の機能として，印刷物全面を有効に利用できる。なお本発明の印刷物は文書に限定するものではなく，図や画像などの印刷物にも適用可能である。
【０００９】
本発明の印刷物発行装置において，以下のような応用が可能である。
【００１０】
特徴データ抽出部（１０２）による特徴抽出の前に，印刷物に対して基準位置を示す基準マークを印刷する基準マーク印刷部（１１２）をさらに備えるようにしてもよい（請求項２）。
【００１１】
基準位置の設定は例えば以下のように行うことができる（請求項３）。
・印刷物に存在する画像的特徴にもとづいて設定する。
・印刷物内の罫線にもとづいて設定する。
・印刷物内の特定の印にもとづいて設定する。
・特徴画像に存在する画像的特徴にもとづいて設定する。
【００１２】
基準位置の設定前に傾きの正規化が行われるようにしてもよい（請求項４）。そしてこの場合，特徴画像に存在する画像的特徴にもとづいて，傾きの正規化を行うようにしてもよい（請求項５）。
【００１３】
また，電子文書データを用いた処理を行うようにしてもよい。例えば，文書データから印刷物を印刷する電子文書印刷部（１１２）をさらに備えるようにしてもよい（請求項６）。この場合，電子文書データは，基準位置を示す基準マークを含むことができる（請求項７）。あるいは，基準マークを含まない電子文書データの場合を想定すると，電子文書データに基準位置を示す基準マークを追加する基準マーク追加部（１４０）と，基準マークが追加された電子文書データから印刷物を印刷する電子文書印刷部（１１２）と，をさらに備えることも可能である（請求項８）。
【００１４】
電子文書データを用いた処理を行う場合でも，基準位置の設定は例えば以下のように行うことができる（請求項９）。
・電子文書データに存在する画像的特徴にもとづいて設定する。
・電子文書データ内の罫線にもとづいて設定する。
・電子文書データ内の特定の印にもとづいて設定する。
【００１５】
あるいは，特徴画像に存在する画像的特徴を，電子文書データの基準位置を示す基準マークとしてもよい（請求項１０）。
【００１６】
基準位置の設定前に傾きの正規化が行われるようにしてもよい（請求項１１）。そしてこの場合，特徴画像に存在する画像的特徴にもとづいて，傾きの正規化を行うようにしてもよい（請求項１２）。
【００１７】
また，印刷物には，基準位置を示す基準マークが，印刷物読み取り部（１０１）による読み取り前から予め印刷されているようにしてもよい（請求項１３）。
【００１８】
上記課題を解決するため，本発明の第２の観点によれば，印刷物の少なくとも印刷領域（余白領域でない部分）に特徴画像を重ねた特徴画像付き印刷物に対して印刷後の改ざんを検出する印刷物検証装置（２００）が提供される。本発明の印刷物検証装置は，特徴画像付き印刷物を読み取って特徴画像付きコンテンツ画像を生成する印刷物読み取り部（２０１）と，特徴画像付きコンテンツ画像から特徴画像を抽出する特徴画像抽出部（２０２）と，特徴画像から特徴データを復元する特徴データ復元部（２０３）と，特徴画像付きコンテンツ画像からコンテンツ画像を抽出するコンテンツ画像抽出部（２０４）と，コンテンツ画像から特徴データを抽出する特徴データ抽出部（２０５）と，特徴データ復元部が復元した特徴データと，特徴データ抽出部が抽出した特徴データとを比較して，印刷物への改ざんを検出する改ざん検証部（２０６）と，を含み，特徴画像付き印刷物には基準位置を示す基準マークが含まれていることを特徴とする（請求項１４）。
【００１９】
上記課題を解決するため，本発明の第３の観点によれば，印刷物から特徴データを抽出する印刷物発行装置（６００）と，ネットワークを介して印刷物発行装置からの特徴データを格納する特徴データ格納装置（７００）と，ネットワークを介して特徴データ格納装置からの特徴データを受信し，印刷物に対して印刷後の改ざんを検出する印刷物検証装置（２００）とを含む印刷物処理システムが提供される。本発明の印刷物処理装置において，印刷物検証装置は，印刷物を読み取ってコンテンツ画像を生成する印刷物読み取り部（２０１）と，コンテンツ画像から特徴データを抽出する特徴データ抽出部（２０５）と，特徴データ抽出部が抽出した特徴データと，特徴データ格納装置から受信した特徴データとを比較して，印刷物への改ざんを検出する改ざん検証部（２０６）と，を含むことを特徴とする。
【００２０】
かかるシステムによれば，特徴データを，ネットワークを介して特徴データ格納装置に格納しておいて，検証時にはこの特徴データを参照することにより，印刷物発行装置および印刷物検証装置の構成をシンプルにすることができる。そして，上記本発明の印刷物発行装置あるいは印刷物検証装置により得られる効果と同様の効果を得ることが可能である。
【００２１】
本発明の印刷物処理システムにおいて，以下のような応用が可能である。
【００２２】
印刷物発行装置は，特徴データ抽出部（１０２）による特徴抽出の前に，印刷物に対して基準位置を示す基準マークを印刷する基準マーク印刷部（１１２）をさらに備えるようにしてもよい（請求項１５）。
【００２３】
基準位置の設定は例えば以下のように行うことができる（請求項１６）。
・印刷物に存在する画像的特徴にもとづいて設定する。
・印刷物内の罫線にもとづいて設定する。
・印刷物内の特定の印にもとづいて設定する。
・特徴画像に存在する画像的特徴にもとづいて設定する。
【００２４】
基準位置の設定前に傾きの正規化が行われるようにしてもよい（請求項１７）。そしてこの場合，特徴画像に存在する画像的特徴にもとづいて，傾きの正規化を行うようにしてもよい（請求項１８）。
【００２５】
また，印刷物発行装置は，電子文書データを用いた処理を行うようにしてもよい。例えば，印刷物発行装置は，基準位置を示す基準マークを含む電子文書データから印刷物を印刷する電子文書印刷部（１１２）をさらに備えることができる（請求項１９）。あるいは，基準マークを含まない電子文書データの場合を想定すると，印刷物発行装置は，電子文書データに基準位置を示す基準マークを追加する基準マーク追加部（１４０）と，基準マークが追加された電子文書データから印刷物を印刷する電子文書印刷部（１１２）と，をさらに備えることも可能である（請求項２０）。
【００２６】
電子文書データを用いた処理を行う場合でも，基準位置の設定は例えば以下のように行うことができる（請求項２１）。
・電子文書データに存在する画像的特徴にもとづいて設定する。
・電子文書データ内の罫線にもとづいて設定する。
・電子文書データ内の特定の印にもとづいて設定する。
・特徴画像に存在する画像的特徴にもとづいて設定する。
【００２７】
基準位置の設定前に傾きの正規化が行われるようにしてもよい（請求項２２）。そしてこの場合，特徴画像に存在する画像的特徴にもとづいて，傾きの正規化を行うようにしてもよい（請求項２３）。
【００２８】
また，印刷物には，基準位置を示す基準マークが，特徴データを抽出する前から予め印刷されているようにしてもよい（請求項２４）。
【００２９】
また，印刷物には，特徴データ格納装置に格納されている特徴データを参照するための参照情報が含まれているようにしてもよい（請求項２５）。
【００３０】
さらにまた，印刷物発行装置に対して印刷物を供給し，印刷物発行装置に所定の処理を要求する発行側クライアント端末（１２００）と，発行側クライアント端末に対して課金を行う発行側サービス供給装置（１３００）と，をさらに含むシステムとすることも可能である（請求項２６）。そしてこの場合，印刷物には，発行側クライアント端末と発行側サービス供給装置との間のトランザクション管理を行うための情報が含まれているようにしてもよい（請求項２７）。
【００３１】
さらにまた，印刷物検証装置に対して印刷物を供給し，印刷物検証装置に所定の処理を要求する検証側クライアント端末（１４００）と，検証側クライアント端末に対して課金を行う検証側サービス供給装置（１３００）と，をさらに含むシステムとすることも可能である（請求項２８）。そしてこの場合，印刷物には，検証側クライアント端末と検証側サービス供給装置との間のトランザクション管理を行うための情報が含まれているようにしてもよい（請求項２９）。
【００３２】
また，本発明の他の観点によれば，コンピュータを，上記印刷物発行装置または印刷物検証装置として機能させるためのプログラムと，そのプログラムを記録した，コンピュータにより読み取り可能な記録媒体が提供される。ここで，プログラムはいかなるプログラム言語により記述されていてもよい。また，記録媒体としては，例えば，ＣＤ−ＲＯＭ，ＤＶＤ−ＲＯＭ，フレキシブルディスクなど，プログラムを記録可能な記録媒体として現在一般に用いられている記録媒体，あるいは将来用いられるいかなる記録媒体をも採用することができる。
【００３３】
なお上記において，構成要素に付随して括弧書きで記した参照符号は，理解を容易にするため，後述の実施形態および図面における対応する構成要素を一例として記したに過ぎず，本発明がこれに限定されるものではない。
【発明の効果】
【００３４】
以上説明したように，本発明によれば，元の印刷文書が劣化しないようにするために特徴画像を元の印刷文書に重ねて印刷する。これによって文書画像の劣化がない状態で，改ざん検証を行うことができる。そして，余白がほとんど無いような印刷物であっても，情報を埋め込むことができるので，印刷物のフォーマットに関係なく特徴情報の埋め込みが可能である。また逆に，特徴情報を埋め込むためのスペースを必要としないため，印刷物本来の機能として，印刷物全面を有効に利用できる。
【発明を実施するための最良の形態】
【００３５】
以下に添付図面を参照しながら，本発明にかかる印刷物発行装置，印刷物検証装置，および印刷物処理システムの好適な実施の形態について詳細に説明する。なお，本明細書および図面において，実質的に同一の機能構成を有する構成要素については，同一の符号を付することにより重複説明を省略する。
【００３６】
（第１の実施の形態）
図１は第１の実施形態の構成図である。
本実施形態にかかる印刷物処理システムは，図１に示したように，印刷物発行装置１００と印刷物検証装置２００により主に構成されている。印刷物発行装置１００は，元の印刷物に対して改ざん検証に必要な特徴データを画像化した特徴画像を重ねて印刷出力する装置である。以下，この印刷出力したものを「特徴画像付き印刷物」と称する。印刷物検証装置２００は，特徴画像付き印刷物をスキャナ装置にて読み取って，改ざん検出を行うための装置である。
以下，印刷物発行装置１００と印刷物検証装置２００の詳細について順に説明する。
【００３７】
（印刷物発行装置１００）
印刷物発行装置１００は，図１に示したように，元の印刷物１に対して，改ざん検証に必要な特徴データを画像化した特徴画像を重ねて，特徴画像付き印刷物２を印刷出力する装置であり，印刷物スキャン部１０１と，特徴データ抽出部１０２と，特徴画像形成部１０３と，印刷部１０４を備えて構成されている。
【００３８】
印刷物１は文書・図・画像などを紙等に印刷したものである。印刷物スキャン部１０１（本発明の印刷物読み取り部の一例）は印刷物１にある文書・図・画像など紙面の内容を読み取って画像化する処理を行う機能部である。以下，この画像をコンテンツ画像と呼ぶ。
【００３９】
特徴データ抽出部１０２はコンテンツ画像から文書・図・画像などの特徴や場所を抽出する。この特徴抽出の具体例は例えば特許文献１に記載の方法の他にベクトル情報・周波数成分など一般的な画像特徴抽出方法を用いることができる。
【００４０】
特徴画像形成部１０３は特徴データから検証側のスキャナ装置で読み取れる特徴画像に変換する。この特徴画像としては，例えば，以下のような，印刷物に秘匿情報を埋め込む技術を用いることができる。
・特開２００３−２０９６７６号公報「印刷文書への秘密情報埋め込みおよび検出方法」（沖電気工業株式会社，特許文献２）
・特開２００３−２６４６８５号公報「印刷物に対する改ざん防止方法」（沖電気工業株式会社，特許文献３）
・特開２００１−１５７０２２号公報（凸版印刷株式会社，特許文献４）
・特開２００２−６４７００号公報（凸版印刷株式会社，特許文献５）
【００４１】
一例として，特許文献２に開示された技術について説明する。特許文献２に開示された透かし画像形成部は，印刷物に埋め込む情報をデジタル化して数値に変換したものをＮ元符号化し（Ｎは２以上の自然数である。符号化されたビット列を「符号語」と称する。），符号語の各シンボルをあらかじめ用意した透かし信号に割り当てる。透かし信号は，ドット（黒画素）の配列によって任意の波長と方向を持つ波を表現したものであり，所定のフィルタによって所定のシンボルを識別することができる。本実施形態の特徴画像形成部１０３の機能は，この特許文献２に開示された透かし画像形成部により実現可能である。なお，特許文献２に開示された透かし画像形成部は，特徴画像形成部１０３の機能を実現するための一例に過ぎず，他の技術を採用してもよいことは言うまでもない。
【００４２】
印刷部１０４は印刷物１に対して特徴画像を重ねて印刷し，特徴画像付き印刷物２を出力する。この特徴画像付き印刷物２の例を図２に示す。図２（ａ）は２次元バーコードのように透過性のない画像を特徴画像として余白に埋め込む場合の例であり，図２（ｂ）は特許文献２にあるようにドットで構成された透過性のある画像を特徴画像として本文全体に埋め込む場合の例である。本実施形態では，図２（ｂ）に示した透過性のある画像を特徴画像として埋め込む場合について説明する。
【００４３】
以上，印刷物発行装置１００の構成について説明した。
次いで，印刷物検証装置２００の構成について説明する。
【００４４】
（印刷物検証装置２００）
印刷物検証装置２００は，図１に示したように，特徴画像付き印刷物をスキャナ装置にて読み取って改ざん検出を行い，改ざん検出結果３を出力する装置であり，印刷物スキャン部２０１と，特徴画像抽出部２０２と，特徴データ復元部２０３と，コンテンツ画像抽出部２０４と，特徴データ抽出部２０５と，改ざん検証部２０６を備えて構成されている。
【００４５】
印刷物スキャン部（本発明の印刷物読み取り部の一例）２０１は特徴画像付き印刷物２の紙面を読み取って画像化する処理を行う機能部である。
【００４６】
特徴画像抽出部２０２は特徴画像付きコンテンツ画像から特徴画像の部分を抽出する処理を行う機能部である。
【００４７】
特徴データ復元部２０３は特徴画像から特徴データを復元する処理を行う機能部である。印刷物発行装置１００側において，特徴画像形成部１０３の機能を，特許文献２に開示された透かし画像形成部により実現した場合，この特徴データ復元部２０３の機能についても，特許文献２に開示された透かし検出部により実現することが可能である。すなわち，特徴画像形成部１０３により形成された特徴画像は，ドット（黒画素）の配列によって任意の波長と方向を持つ波を表現した透かし信号により形成されている。そして，この透かし信号は，所定のフィルタによって所定のシンボルを識別することができる。特徴データ復元部２０３は，このようにして，特徴画像から特徴データを復元する処理を行うことができる。なお，特許文献２に開示された透かし検出部は，特徴データ復元部２０３の機能を実現するための一例に過ぎず，他の技術を採用してもよいことは言うまでもない。
【００４８】
コンテンツ画像抽出部２０４は特徴画像付きコンテンツ画像からコンテンツ画像の部分だけを抽出する処理を行う機能部である。
【００４９】
特徴データ抽出部２０５は印刷物発行装置１００の特徴データ抽出部１０２と同じようにコンテンツ画像から特徴データを抽出する処理を行う機能部である。
【００５０】
改ざん検証部２０６は特徴画像から復元したオリジナルな特徴データと今読み取った印刷物の特徴データとを比較して，改ざんの有無・改ざん場所などを検出する処理を行う機能部である。その改ざん検証結果を改ざん検証結果３として出力する。
【００５１】
本実施形態にかかる印刷物処理システムは，以上のように構成されている。次いで，本実施形態の動作について説明する。図３は印刷物発行装置１００の動作フローである。以下，図３の印刷物発行装置１００の動作フローについて説明する。
【００５２】
＜印刷物スキャン（ステップＳ１０２）＞
処理が開始されるとステップＳ１０２において印刷物１のスキャンを行い画像化してコンテンツ画像を出力する。
【００５３】
＜特徴データ抽出（ステップＳ１０３）＞
次にステップＳ１０３においてコンテンツ画像から特徴データを抽出する。この特徴データは文書・図・画像などの特徴や場所である。文書・図・画像の特徴としては例えばベクトル情報や周波数成分（ＤＣＴ，ウェーブレット等）などを始め公知の画像特徴抽出技術を用いる。位置はコンテンツ画像上で基準位置を定めて，その基準位置からの相対位置で表すようにする。
【００５４】
この基準位置の求め方の例としては，図４に示すように縦方向および横方向のエッジ成分の累積が最初にしきい値を越えた所（ｘ０，ｙ０）を基準位置に設定するなどの方法がある。なお基準位置は複数あってもよい。例えば，図４における縦方向および横方向のエッジ成分の累積が最後にしきい値を越えた所（ｘ１，ｙ１）をも基準位置としてもよい。
【００５５】
また図４に示す方法で基準位置を決める場合は，スキャン時に画像が傾いている場合があるので，最初にコンテンツ画像に対して回転補正を行い傾きの正規化を行うとよい。回転補正の具体例は縦方向および横方向のエッジ成分の累積または余白部分の累積が最大になる回転角を求めればよい。
【００５６】
なお特徴データはさらに誤り検出・訂正できるような符号化を行ってもよい。ここでの符号方式としては例えばパリティチェック符号，ハミング符号，ＢＣＨ符号などである。また訂正能力はないが誤り検出ができるチェックサムなどでもよい。
【００５７】
またデータの整合性を検証するためにハッシュ値（ＭＤ５やＳＨＡ−１など），電子署名（ＳＨＡ１  ｗｌｔｈ  ＲＳＡ  ＥｎｃｒｙＰｔｉｏｎなど），ＨＭＡＣ等を追加してもよい。
【００５８】
＜特徴画像生成（ステップＳ１０４）＞
次にステップＳ１０４では特徴データから特徴画像を作る。この特徴画像はバーコードや先に挙げた秘匿情報を印刷する技術などを用いることができる。
【００５９】
＜印刷物の出力（ステップＳ１０５）＞
次にステップＳ１０５において印刷物１に特徴画像を重ねて印刷した後，特徴画像付き印刷物２を出力して終了する。
【００６０】
以上，印刷物発行装置１００の動作について説明した。次いで，印刷物検証装置２００の動作について説明する。図５は印刷物検証装置２００の動作フローである。以下，図５の印刷物検証装置２００の動作フローについて説明する。
【００６１】
＜印刷物のスキャン（ステップＳ２０２）＞
処理が開始されると，ステップＳ２０２において特徴画像付き印刷物２をスキャンして特徴画像付きコンテンツ画像を出力する。なおここでコンテンツ画像に対して回転補正を行い傾きの正規化を行うことができる。この傾きの正規化の方法は印刷物発行装置１００でのステップＳ１０２の処理と同じである。
【００６２】
＜特徴画像抽出（ステップＳ２０３）＞
次にステップＳ２０３において特徴画像付きコンテンツ画像から特徴画像を抽出する。
【００６３】
＜特徴データ復元（ステップＳ２０４）＞
次にステップＳ２０４にて特徴画像から特徴データを復元する。
ここで特徴データの誤り検出・訂正符号の復号で誤りを訂正できなかった場合や，ハッシュ値・電子署名・ＨＭＡＣなどでのデータの整合性が取れなかった場合はステップＳ２０５において特徴データを復元失敗としてステップＳ２１０に進み改ざん検証失敗のメッセージを出力して終了する。一方，ステップＳ２０５で特徴データを復元に成功するとステップＳ２０６に進む。
【００６４】
＜コンテンツ画像の抽出（ステップＳ２０６）＞
次にステップＳ２０６では特徴画像付きコンテンツ画像から特徴画像を除いたコンテンツ画像を抽出する。
【００６５】
＜特徴データ抽出（ステップＳ２０７）＞
次にステップＳ２０７でコンテンツ画像と特徴データを抽出する。この特徴データ抽出処理は印刷物発行装置１００におけるステップＳ１０２と同じように，各特徴の位置はコンテンツ画像上にある基準位置からの相対位置で表すようにする。
【００６６】
＜改ざん検証（ステップＳ２０８）＞
次にステップＳ２０８において，特徴画像から復元した特徴データとコンテンツ画像から抽出した特徴データを比較することで改ざん検証を行う。もし差異があればその場所などを求め，改ざんがあったとのメッセージを出力し，もし差異が無ければ改ざん無しとのメッセージを出力し（ステップＳ２０９），処理を終了する。
【００６７】
なお，ステップＳ２０２における読み取り処理の際に紙を上下逆や９０度回転された状態で置かれる可能性がある。そこでステップＳ２０７において特徴画像付きコンテンツ画像を９０度回転や１８０度回転した場合の特徴データも求めてステップＳ２０８における比較を行ってもよい。同様にステップＳ２０４でも特徴画像を９０度回転や１８０度回転した場合の画像から復元した特徴データを用いてもよい。
【００６８】
以上，本実施形態の動作について説明した。
本実施形態では，文書内に罫線があるような場合を例に説明した。その他に図６に示したように，印刷物に特定の印（（ａ）四隅に特定の印がある場合や，（ｂ）発行期間のロゴマークがある場合）などがあることが予め分かっている場合は，その印をパターンマッチングやエッジや周波数などの特徴抽出によって検出した位置を基準位置に設定してもよい。
【００６９】
また，印刷物スキャン部１０１が精度良く常に同じ位置をスキャンできてかつ印刷部１０４が重ね印刷の際に常に精度良く同じ位置に印刷できる場合は，特徴画像自身を基準位置にしてもよい。その場合は，印刷物検証装置２００側では，例えば図６に示したように，特徴画像自身（（ｃ）バーコードや（ｄ）透かし画像）のエッジ部分を抽出してそれを基準位置として特徴データの位置関係を求めてもよい。また特徴画像の内部の部分を用いてもよい（特許文献３に具体例を記述している）。このような手法は，印刷物に基準位置となる特徴のない場合において有効である。
【００７０】
（第１の実施形態の効果）
以上説明したように，本実施形態によれば，以下のような効果がある。
（１−１）印刷物に特徴データを追加する改ざん検出において，元の画像の劣化が無いので改ざん検出精度が高い。
（１−２）重ね印刷では元の印刷物に別の画像を重ねることになるが，常に精度良く同じ位置に特徴画像を重ねて印刷できない場合には，画像の位置関係が検証側では把握できない問題がある。本実施形態では印刷物に元々ある罫線や印などから基準位置を決めているので，検証側も同じ方法で基準位置を検出することによって画像の正しい位置関係を把握できる。
（１−３）スキャナの読み取り位置が常に同じでかつ重ね印刷の際に常に精度良く同じ位置に印刷できる場合は特徴画像自身を基準位置にすることによって，印刷物に基準位置となる特徴のない場合において有効である。
（１−４）電子データとして残していない文書などに対して適用できるので，例えば古い重要文献の改ざん検出などサービスにも適用できる。
【００７１】
（第２の実施形態）
第２の実施形態では，元の印刷物に基準位置が設定できる罫線や印が無い場合に有効な手法について説明する。元の印刷物に対して，基準位置が設定できるマーク（基準マーク）を最初に印刷する点に特徴がある。
【００７２】
図７は第２の実施形態の構成図である。印刷物検証装置は第１の実施形態と実質的に同様であるので，重複説明を省略する。
【００７３】
印刷物発行装置３００において第１の実施形態と異なる部分は，印刷物１に対して基準マークを最初に印刷する処理（基準マーク作成部１１１と印刷部１１２）を行い，基準マーク付き印刷物４を重ね印刷する処理が加わっていることである。この基準マーク付き印刷物４は，図８に示すように，（ａ）四隅や，（ｂ）文書の外周に特定の印（基準マーク）を重ねて印刷したものである。
【００７４】
以下，第２の実施形態の構成について第１の実施形態の差異部分のみを説明する。
【００７５】
基準マーク作成部１１１は，図９（ａ）に示したような基準マークを作成する処理を行う。そして，印刷部１１２は，図９（ｂ）の元の印刷物１に対して基準マークを重ね印刷して，図９（ｃ）の基準マーク付き印刷物４を出力する。以降はこの基準マーク付き印刷物４について第１の実施形態と同様の処理を行う。
【００７６】
本実施形態は以上のように構成されている。
図１０は第２の実施形態における印刷物発行装置３００の動作フローである。
第１の実施形態との差異は最初に基準マークが重ね印刷される処理（ステップＳ１１０）が追加されたことである。このステップＳ１１０については，図８，図９を参照しながら上述した通りである。
【００７７】
以上説明したように，本実施形態によれば，第１の実施形態の他に以下の効果がある。
（２−１）印刷物に予め基準位置を決める罫線や印がない場合においても第１の実施形態と同等の改ざん検出精度を得ることができる。
【００７８】
（第３の実施形態）
第１の実施形態では印刷物発行装置１００は印刷物１を入力としていた。第３の実施形態では，印刷物発行装置は印刷前の電子文書データから同等の特徴画像付き印刷物を作成することを特徴とする。
【００７９】
図１１は第３の実施形態の構成図である。印刷物検証装置は第１の実施形態と実質的に同様であるので，重複説明を省略する。ただし，印刷物検証装置が扱える電子文書データには最初から基準位置となる罫線や印などが含まれているものとする。
【００８０】
本実施の形態にかかる印刷物発行装置４００において，電子文書データ５はワードプロセッサや表計算などの電子ファイルや画像ファイルなどである。そして，印刷物１１２は何も印刷されていない白紙に対して電子文書データ５の内容を印刷する処理を行い，印刷物１を出力する。その他の点については，第１の実施形態と実質的に同様である。
【００８１】
本実施形態は以上のように構成されている。
図１０は第３の実施形態における印刷物発行装置４００の動作フローである。
第１の実施形態と異なる点は，最初にステップＳ１２０において電子文書データ５を印刷することである。
【００８２】
本実施形態では電子文書データ５には最初から基準位置となる罫線や印が含まれていることを前提に説明した。電子文書データ５にこのような基準位置となる罫線や印が含まれていない場合でも，最初の白紙６に罫線や印が含まれていれば，この第３の実施形態と同じ構成および動作でも同じ効果が得られる。
【００８３】
また，第１の実施形態と同様に，印刷物スキャン部１０１が精度良く常に同じ位置をスキャンできてかつ印刷部１０４が重ね印刷の際に常に精度良く同じ位置に印刷できる場合は，特徴画像自身を基準位置にしてもよい。
【００８４】
（第３の実施形態の効果）
電子文書に対する特徴データ抽出についても，実際に印刷された印刷物から特徴データを抽出した方がより正確に抽出することができる。なぜならば，プリンタのインクのにじみやインクのかすれや印刷の歪みなど不確定要因があるためである。電子文書に対する改ざん検出も本実施形態のように行うことで，より高い精度の改ざん検出を行うことができる。また，プリンタの印字フォントの形状もプリンタによって異なる場合があるため，電子文書から特徴データを抽出するより，実際に印刷された印刷物から特徴データを抽出した方が，より高い精度で改ざん検出を行うことができる。
【００８５】
本実施形態は元々文書に基準位置となる罫線や印が含まれている場合に有効であるが，それが無い場合でも以下のようにすることで同等の効果を得ることができる。
・最初の白紙６に最初から罫線や印が含まれている場合。
・また印刷物スキャン部１０１が精度良く常に同じ位置をスキャンできてかつ印刷部１０４が重ね印刷の際に常に精度良く同じ位置に印刷できる場合は，特徴画像自身を基準位置にできる。
【００８６】
（第４の実施形態）
第３の実施形態では，元々文書に基準位置となる罫線や印が含まれていることが前提であった。第４の実施形態では，第２の実施形態で最初に基準マークを付けたのと同様の方法によって対処する実施形態である。このように本実施形態は，第３の実施形態をベースに第２の実施形態を組み合わせた実施形態である。
【００８７】
図１３は第４の実施形態の構成図である。印刷物検証装置は第１の実施形態と実質的に同様であるので，重複説明を省略する。
【００８８】
第３の実施形態との違いは入力された電子文書データ５に対して基準マークを付ける処理を行う基準マーク追加部１４０が追加されたことである。この基準マーク追加部１４０は電子文書データ５に対して図８と同様の基準マークを電子文書データ５に追加する。以降は第１の実施形態と同じである。
【００８９】
本実施形態は以上のように構成されている。
図１４は第４の実施形態における印刷物発行装置５００の動作フローである。
第３の実施形態との差異は最初に基準マークを電子文書データに追加する処理（ステップＳ１３０）が追加されたことである。
【００９０】
（第４の実施形態の効果）
以上説明したように，本実施形態によれば，第３の実施形態の他に以下の効果がある。
（４−１）電子文書データに予め基準位置を決める罫線や印がない場合においても第３の実施形態と同等の改ざん検出精度を得ることができる。
【００９１】
（第５の実施形態）
第１の実施形態では特徴データを特徴画像に格納して印刷物に印刷していた。第５の実施形態では特徴データをサーバなどに格納しておいて，検証時にはこの特徴データを参照するものである。改ざん検出の性能は第１の実施形態と同等の効果がある。また第１の実施形態に比べて各装置の構成はシンプルになる。
【００９２】
図１５は第５の実施形態の構成図である。
本実施形態は，図１５に示したように，印刷物発行装置６００と，特徴データ格納装置７００と，印刷物検証装置８００により主に構成されている。以下，印刷物発行装置６００，特徴データ格納装置７００，および印刷物検証装置８００の詳細について順に説明する。
【００９３】
（印刷物発行装置６００）
本実施の形態にかかる印刷物発行装置６００は，図１５に示したように，第１の実施形態での印刷物発行装置１００から，特徴画像形成部１０３および印刷部１０４の機能部が除かれた構成となっている。そして，特徴データ抽出部１０２で抽出された特徴データ（基準位置を含む）は，特徴データ格納装置７００に格納される。
【００９４】
（特徴データ格納装置７００）
特徴データ格納装置７００は，印刷物１の特徴データを格納する装置である。印刷物発行装置６００および印刷物検証装置８００からネットワークなどを通じてアクセス可能である。
【００９５】
（印刷物検証装置８００）
本実施の形態にかかる印刷物検証装置８００は，第１の実施形態での印刷物検証装置２００から，特徴画像抽出部２０２，特徴データ復元部２０３，およびコンテンツ画像抽出部２０４の処理部が除かれた構成となっている。そして，検証部２０６においては特徴データ格納装置７００に格納されている特徴データを用いて検証を行う。
【００９６】
本実施形態は以上のように構成されている。次いで，本実施形態の動作について説明する。まず，印刷物発行装置６００の動作について説明する。図１６は印刷物発行装置６００の動作フローである。
【００９７】
図１６において，ステップＳ１０３の特徴データ抽出までは第１の実施形態と同じである。ステップＳ１０３の処理を終えるとステップＳ６００において特徴データを特徴データ格納装置７００に送信して処理を終える。なお，印刷物１と特徴データ格納装置７００に格納する特徴データを対応付けるために，印刷物１の余白部分に，例えば特徴データのファイル名を，文字やバーコードなどで印字してもよい。
【００９８】
次いで，印刷物検証装置８００の動作について説明する。図１７は印刷物検証装置８００の動作フローである。
【００９９】
図１７においてステップＳ２０２の印刷物のスキャン処理を終えると，ステップＳ２０７の特徴データ抽出処理を行う。このステップＳ２０２およびステップＳ２０７は第１の実施形態と同じである。
【０１００】
最後にステップＳ８００において特徴データ格納装置７００に格納されている特徴データとコンテンツ画像から抽出した特徴データを比較することで改ざん検証を行う。特徴データ格納装置７００に格納されている特徴データを取得する処理は，ファイル名がバーコードで印刷されている場合は，印刷物検証装置８００が自動的に読み取って該当する特徴データを特徴データ格納装置７００から取得する。またはユーザがファイル名を知っている場合には，ユーザが印刷物検証装置８００にファイル名を入力する方法でもよい。もし差異があればその場所などを求め改ざんがあったとのメッセージを出力し，もし差異が無ければ改ざん無しとのメッセージを出力して（ステップＳ２０９），処理を終了する。
【０１０１】
（第５の実施形態の効果）
以上説明したように，本実施形態によれば，改ざん検出において第１の実施形態と同等の効果がある。さらに，第１の実施形態に比べて，以下の処理がない分だけシステム構成が単純になる。
・発行側では特徴画像を生成して印刷する処理が不要になる。
・検証側では特徴画像を抽出して特徴データに復元する処理が不要になる。
【０１０２】
（第６の実施形態）
第５の実施形態では印刷物１に基準位置となる罫線や印がある場合に有効であった。この第６の実施形態は第２の実施形態と同様に，最初に印刷物に対して基準マークを印字することで対処することを特徴とする。このように本実施形態は，第５の実施形態をベースに第２の実施形態を組み合わせた実施形態である。
【０１０３】
図１８は第６の実施形態の構成図である。印刷物検証装置は第５の実施形態と実質的に同様であるので重複説明を省略する。
【０１０４】
印刷物発行装置９００において第５の実施形態と異なる部分は，印刷物１に対して基準マークを最初に印刷する処理（基準マーク作成部１１１と印刷部１１２）を行い，基準マーク付き印刷物４を重ね印刷する処理が加わっていることである。これは第１の実施形態と第２の実施形態の差異と同じである。
【０１０５】
本実施形態は以上のように構成されている。
図１９は第６の実施形態における印刷物発行装置９００の動作フローである。
第５の実施形態との差異は最初に基準マークが重ね印刷される処理（ステップＳ１１０）が追加されたことである。このステップＳ１１０については，図８，図９を参照しながら上述した通りである。
【０１０６】
（第６の実施形態の効果）
以上説明したように，本実施形態によれば，印刷物に基準位置となる罫線や印が無い場合において，第５の実施形態と同様の効果が得られる。
【０１０７】
（第７の実施形態）
第５の実施形態では印刷物発行装置は印刷物を入力としていた。第７の実施形態では電子文書データを入力とすることに特徴がある。このように本実施形態は，第５の実施形態をベースに第３の実施形態を組み合わせた実施形態である。
【０１０８】
図２０は第７の実施形態の構成図である。印刷物検証装置は第５の実施形態と実質的に同様であるため，重複説明を省略する。なお，印刷物検証装置が扱える電子文書データには最初から基準位置となる罫線や印などが含まれているものとする。
【０１０９】
電子文書データ５はワードプロセッサや表計算などの電子ファイルや画像ファイルなどである。印刷物１１２は何も印刷されていない白紙６に対して電子文書データ５の内容を印刷する処理を行い，印刷物１を出力する。その他は第５の実施形態と同じである。
【０１１０】
本実施形態は以上のように構成されている。
図２１は第７の実施形態における印刷物発行装置４００の動作フローである。
第７の実施形態と異なる点は，最初にステップＳ１２０において電子文書データ５を印刷することである。
【０１１１】
（第７の実施形態の効果）
以上説明したように，本実施形態によれば，第３の実施形態で説明した電子文書から印刷した場合の課題（プリンタでの印刷時のインクのにじみや歪み等）について，第５の実施形態と同様の効果が得られる。
【０１１２】
（第８の実施形態）
第７の実施形態では，元々文書に基準位置となる罫線や印が含まれていることが前提であった。第８の実施形態では，第２の実施形態で最初に基準マークを付けたのと同様の方法によって対処する実施形態である。このように本実施形態は，第５の実施形態をベースに第４の実施形態を組み合わせた実施形態である。
【０１１３】
図２２は第４の実施形態の構成図である。印刷物検証装置は第５の実施形態と実質的に同様であるため，重複説明を省略する。
【０１１４】
第７の実施形態との違いは，入力された電子文書データ５に対して基準マークを付ける処理を行う基準マーク追加部１４０が追加されたことである。これは第３の実施形態と第４の実施形態の差異と同じである。
【０１１５】
本実施形態は以上のように構成されている。
図２３は第８の実施形態における印刷物発行装置１１００の動作フローである。
第７の実施形態との差異は最初に基準マークを電子文書データに追加する処理（ステップＳ１３０）が追加されたことである。
【０１１６】
（第８の実施形態の効果）
以上説明したように，本実施形態によれば，第７の実施形態の他に以下の効果がある。
（８−１）電子文書データに予め基準位置を決める罫線や印がない場合においても第７の実施形態と同等の改ざん検出精度を得ることができる。
【０１１７】
（第９の実施形態）
第９の実施形態は第４の実施形態を元にＡＳＰ（アプリケーション・サービス・プロバイダ）が提供するサービスの形にしたものである。特徴データの抽出や特徴画像の作成などの重要な処理をサービス供給側で処理することによって以下のメリットがある。
（１）システムのメンテナンス管理を一元化できる。
（２）技術要素を漏洩防止できる（改ざん検証に必要な技術が漏洩するのは好ましくない）
（３）定額制や従量制などによる課金徴収ビジネスを展開できる。
【０１１８】
図２４は第９の実施形態におけるシステムの接続構成図である。
【０１１９】
（発行側クライアント端末１２００）
発行側クライアント端末１２００（図２４では２つの発行側クライアント端末１２００−１，１２００−２のみを示している。）は，電子文書データ５に対する特徴画像付き印刷物２を印刷する端末である。第４の実施形態の印刷物発行装置５００との違いは，基準マークの作成や特徴データ抽出・特徴画像を行わないことである。
【０１２０】
（発行側サービス供給装置１３００）
発行側サービス供給装置１３００は発行側クライアント端末１２００から要求された電子文書データ５に対して基準マークの作成や特徴データ抽出・特徴画像作成などの処理を行い，これらの処理を終えると料金をユーザから徴収（課金）する装置である。
【０１２１】
発行側クライアント端末１２００と発行側サービス供給装置１３００はインタネットなどの通信ネットワークで結ばれている。
【０１２２】
（検証側クライアント端末１４００）
検証側クライアント端末１４００（図２４では２つの検証側クライアント端末１２００−１，１２００−２のみを示している。）は特徴画像付き印刷物２を検証する端末である。第１〜４の実施形態の印刷物検証装置２００との違いは特徴画像から特徴データの復元や特徴データ抽出を行わないことである。
【０１２３】
（検証側サービス供給装置１５００）
検証側サービス供給装置１５００は検証側クライアント端末１４００から要求された特徴画像付き印刷物２の検証に対して検証を行い，これらの処理を終えると料金をユーザから徴収（課金）する装置である。
【０１２４】
検証側クライアント端末１４００と検証側サービス供給装置１５００はインタネットなどの通信ネットワークで結ばれている。
【０１２５】
本実施形態は以上のように構成されている。次いで，本実施形態の動作について説明する。まず，発行側（発行側クライアント端末１２００および発行側サービス供給装置１３００）の動作について説明する。図２５は第９の実施形態における発行側の動作フローである。
【０１２６】
最初にステップＳ１２０１およびステップＳ１３０１において発行側クライアント端末１２００を使用しているユーザの認証が行われる。このユーザ認証としては公知の技術であるユーザＩＤとパスワードによる認証などを用いることができる。
【０１２７】
次にステップＳ１２０２およびステップＳ１３０２において，発行側クライアント端末１２００と発行側サービス供給装置１３００の間で暗号通信が確立される。この暗号通信としては公知の技術であるＳＳＬ（Ｓｅｃｕｒｅ  Ｓｏｃｋｅｔｓ  Ｌａｙｅｒ）やＩＰＳｅｃなどを用いることができる。なお通信に情報漏洩を考慮しなくて済むネットワークの場合はこの暗号通信を確立しないでもよい。
【０１２８】
次にステップＳ１２０３で発行側クライアント端末１２００は電子文書データ５を送信する。そしてステップＳ１３０３で発行側サービス供給装置１３００はこの電子文書データ５を受信する。
【０１２９】
次にステップＳ１３０４で発行側サービス供給装置１３００は基準マークと識別用画像を作成する。基準マークは第２，４の実施形態で説明したように印刷物に基準位置を設定するための印である。識別用画像はクライアント側とサービス供給側との間で印刷物の画像をやりとりする際にその画像を識別するためのものである。例えば２次元バーコードなどで作成してもよい。この識別用画像にシリアル番号など印刷物を管理できる情報を埋め込む。なお印刷物の管理が不要である場合には識別用画像は無くてもよい。
【０１３０】
次にステップＳ１３０５で発行側サービス供給装置１３００は基準マークと識別用画像を発行側クライアント端末１２００から受信した電子文書データに挿入する。基準マークと識別用画像は電子文書データの余白部分に埋め込むのが望ましい。
【０１３１】
次にステップＳ１３０６で発行側サービス供給装置１３００は基準マークと識別用画像を付けた電子文書データを発行側クライアント端末１２００に送信する。そしてステップＳ１２０４で発行側クライアント端末１２００はこの基準マーク付き電子文書データを受信する。
【０１３２】
次にステップＳ１２０５で発行側クライアント端末１２００は受信した基準マークと識別用画像を付けた電子文書データを印刷して基準マーク付き印刷物１を出力する。
【０１３３】
次にステップＳ１２０６で発行側クライアント端末１２００は先に印刷した基準マーク付き印刷物１をスキャナ装置などで読み取る。
【０１３４】
次にステップＳ１２０７で発行側クライアント端末１２００は基準マーク付き印刷物１の読み取り画像を発行側サービス供給装置１３００に送信する。そしてステップＳ１３０７で発行側サービス供給装置１３００はこの基準マーク付き印刷物読み取り画像を受信する。
【０１３５】
次にステップＳ１３０８で発行側サービス供給装置１３００は受信した基準マーク付き印刷物読み取り画像にある識別用画像から，自身が発行した識別用画像が付いていることを認証する。
【０１３６】
次にステップＳ１３０９で発行側サービス供給装置１３００は受信した基準マーク付き印刷物読み取り画像の特徴データ（および基準位置）を抽出する。
【０１３７】
次にステップＳ１３１０で発行側サービス供給装置１３００は特徴データから特徴画像を作成する。この処理はこの処理は第１の実施形態で述べた通りである。
【０１３８】
次にステップＳ１３１１で発行側サービス供給装置１３００は作成した特徴画像を発行側クライアント端末１２００に送信する。そしてステップＳ１２０８で発行側クライアント端末１２００はこの特徴画像を受信する。
【０１３９】
次にステップＳ１２０９で発行側クライアント端末１２００は特徴画像を基準マーク付き印刷物１に重ねて印刷して特徴画像付き印刷物２を出力する。
【０１４０】
そしてステップＳ１３１２で発行側サービス供給装置１３００はこれまでのサービス分の料金を課金する。課金はユーザが指定した口座やクレジットなどから徴収する（定額制や課金無しの場合は不要。）。
【０１４１】
最後にステップＳ１２１０およびステップＳ１３１３において暗号通信を解除して終了する。
【０１４２】
以上，発行側（発行側クライアント端末１２００および発行側サービス供給装置１３００）の動作について説明した。次いで，検証側（検証側クライアント端末１４００および検証側サービス供給装置１５００）の動作について説明する。図２６は第９の実施形態における検証側の動作フローである。
【０１４３】
最初にステップＳ１４０１およびステップＳ１５０１において検証側クライアント端末１４００を使用しているユーザの認証が行われる。このユーザ認証としては公知の技術であるユーザＩＤとパスワードによる認証などを用いることができる。
【０１４４】
次にステップＳ１４０２およびステップＳ１５０２において，検証側クライアント端末１４００と検証側サービス供給装置１５００の間で暗号通信が確立される。この暗号通信としては公知の技術であるＳＳＬ（Ｓｅｃｕｒｅ  Ｓｏｃｋｅｔｓ  Ｌａｙｅｒ）やＩＰＳｅｃなどを用いることができる。なお通信に情報漏洩を考慮しなくて済むネットワークの場合はこの暗号通信を確立しないでもよい。
【０１４５】
次にステップＳ１４０３で検証側クライアント端末１４００は特徴画像付き印刷物２をスキャナ装置で読み取る。
【０１４６】
次にステップＳ１４０４で検証側クライアント端末１４００は読み取った特徴画像付き印刷物画像（特徴画像付き印刷物読み取り画像）を検証側サービス供給装置１５００に送信する。そしてステップＳ１５０３で検証側サービス供給装置１５００はこの特徴画像付き印刷物読み取り画像を受信する。
【０１４７】
次にステップＳ１５０４で検証側サービス供給装置１５００は特徴画像付き印刷物画像にある認証用画像から印刷物に付けられた管理番号などを読み取る，この読み取った管理番号は課金の際の料金を決めるために用いり，サービスの有効期限の識別などに用いる。認証用画像の情報を使わない場合は，このステップＳ１５０４は行わないでもよい。
【０１４８】
次にステップＳ１５０５で検証側サービス供給装置１５００は特徴画像付き印刷物画像の改ざん検証を行う。この改ざん検証に関わる処理は第１の実施形態に示したように行えばよい。
【０１４９】
次にステップＳ１５０６で検証側サービス供給装置１５００は改ざん検証結果を送信する。そしてステップＳ１４０５で検証側クライアント端末１４００はこの改ざん検証結果を受信する。
【０１５０】
次にステップＳ１５０７で検証側サービス供給装置１３００はこれまでのサービス分の料金を課金する。
【０１５１】
最後にステップＳ１４０６およびステップＳ１５０８において暗号通信を解除して終了する。
【０１５２】
本実施形態では，電子文書データに対しての改ざん検証サービスの例を説明した。この他に第１〜２の実施形態で説明した印刷物に対する改ざん検証も同様にサービスを行うことができる。また第４〜８の実施形態で示したように印刷物や電子文書データの特徴データを別の装置に格納する場合も同様にサービスを行うことができる。これらの実現方法としては，第９の実施形態のように，クライアント側は印刷や印刷物の読み取りに関わる処理を任せ，サービス供給側は特徴データ抽出や改ざん検証処理を行うようにすればよい。
【０１５３】
（第９の実施形態の効果）
以上説明したように，本実施形態によれば，第１〜８の実施形態に対して処理の一部についてネットワークを通じたサービス提供を行うことで以下の効果がある。
（９−１）システムのメンテナンス管理を一元化できる。
（９−２）改ざん検証に必要な技術が漏洩するのは好ましくないが，本実施形態では技術要素の漏洩を防止できる。
（９−３）定額制や従量制などによる課金徴収ビジネスを展開できる。
（９−４）クライアント・サーバ間での印刷物データのやり取りに対して識別画像を付けることでトランザクション管理ができる。
【０１５４】
以上，添付図面を参照しながら本発明にかかる印刷物発行装置，印刷物検証装置，および印刷物処理システムの好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【０１５５】
例えば，以下のような利用形態が考えられる。
１．本発明は印刷物として紙以外（例えば，金属・布類・プラスチック等の有機化合物など）にも適用可能である。
２．本発明での印刷物の読み取りはスキャナ装置の他にカメラなど印刷内容を読み取れるものであればよい。
３．本発明は改ざん検出以外にも印刷物に印刷内容の特徴データを格納することで行えるサービスに適用可能である。例えば，アンケート用紙のチェックボックス欄や自由記載欄の配置情報や記入ルールなどを特徴データとし，この特徴データにもとづき，アンケート用紙への回答を自動集計する技術などに適用可能である。
４．第１〜８の実施形態では特徴データを抽出する範囲は紙面全面の他に任意の部分だけでもよい。その任意の部分は１つでも複数箇所でもよい。
５．第１〜４の実施形態は特徴画像を同一紙面に重ねて印刷したが，特徴画像を紙面の裏や別の紙面に印刷してもよい。
６．第５〜８の実施形態は特徴で特徴データを格納する装置を外部に設定したが，装置内部に設けた記憶装置でもよい。
７．第１〜４の実施形態は特徴データを全て特徴画像に格納したが，一部を第５〜８の実施形態のように外部に格納してもよい。
【産業上の利用可能性】
【０１５６】
本発明は，印刷物を処理する印刷物発行装置，印刷物検証装置，および印刷物処理システムに利用可能であり，特に，元文書の関連した情報埋め込みを行う印刷物発行装置，印刷文書の改ざん検出する印刷物検証装置，およびこれらをシステム構成要素として含む印刷物処理システムに利用可能である。
【図面の簡単な説明】
【０１５７】
【図１】第１の実施形態の構成を示す説明図である。
【図２】特徴画像付き印刷物の例を示す説明図である。
【図３】第１の実施形態における印刷物発行装置１００の動作を示す流れ図である。
【図４】コンテンツ画像の基準位置の設定方法に関する説明図である。
【図５】第１の実施形態における印刷物検証装置２００の動作を示す流れ図である。
【図６】その他の基準位置の例を示す説明図である。
【図７】第２の実施形態の構成を示す説明図である。
【図８】基準マーク付き印刷物の例を示す説明図である。
【図９】基準マークの追加の重ね合わせ印刷を示す説明図である。
【図１０】第２の実施形態における印刷物発行装置３００の動作を示す流れ図である。
【図１１】第３の実施形態の構成を示す説明図である。
【図１２】第３の実施形態における印刷物発行装置４００の動作を示す流れ図である。
【図１３】第４の実施形態の構成を示す説明図である。
【図１４】第４の実施形態における印刷物発行装置５００の動作を示す流れ図である。
【図１５】第５の実施形態の構成を示す説明図である。
【図１６】第５の実施形態における印刷物発行装置６００の動作を示す流れ図である。
【図１７】第５の実施形態における印刷物検証装置８００の動作を示す流れ図である。
【図１８】第６の実施形態の構成を示す説明図である。
【図１９】第６の実施形態における印刷物発行装置９００の動作を示す流れ図である。
【図２０】第７の実施形態の構成を示す説明図である。
【図２１】第７の実施形態における印刷物検証装置１０００の動作を示す流れ図である。
【図２２】第８の実施形態の構成を示す説明図である。
【図２３】第８の実施形態における印刷物検証装置１１００の動作を示す流れ図である。
【図２４】第９の実施形態における接続形態を示す説明図である。
【図２５】第９の実施形態の発行側動作を示す流れ図である。
【図２６】第９の実施形態の検証側動作を示す流れ図である。
【図２７】従来の文書発行装置を示す説明図である。
【符号の説明】
【０１５８】
１  印刷物
２  特徴画像付き印刷物
３  改ざん検証結果
４  基準マーク付き印刷物
５  電子文書データ
６  白紙
１００  印刷物発行装置
１０１  印刷物スキャン部
１０２  特徴データ抽出部
１０３  特徴画像形成部
１０４  印刷部
１１１  基準マーク作成部
１１２  印刷部
２００  印刷物検証装置
２０１  印刷物スキャン部
２０２  特徴画像抽出部
２０３  特徴データ復元部
２０４  コンテンツ画像抽出部
２０５  特徴データ抽出部
２０６  改ざん検証部
【図１】
2006014189.tif 000003
【図２】
2006014189.tif 000004
【図３】
2006014189.tif 000005
【図４】
2006014189.tif 000006
【図５】
2006014189.tif 000007
【図６】
2006014189.tif 000008
【図７】
2006014189.tif 000009
【図８】
2006014189.tif 000010
【図９】
2006014189.tif 000011
【図１０】
2006014189.tif 000012
【図１１】
2006014189.tif 000013
【図１２】
2006014189.tif 000014
【図１３】
2006014189.tif 000015
【図１４】
2006014189.tif 000016
【図１５】
2006014189.tif 000017
【図１６】
2006014189.tif 000018
【図１７】
2006014189.tif 000019
【図１８】
2006014189.tif 000020
【図１９】
2006014189.tif 000021
【図２０】
2006014189.tif 000022
【図２１】
2006014189.tif 000023
【図２２】
2006014189.tif 000024
【図２３】
2006014189.tif 000025
【図２４】
2006014189.tif 000026
【図２５】
2006014189.tif 000027
【図２６】
2006014189.tif 000028
【図２７】
2006014189.tif 000029